(57)【特許請求の範囲】
【請求項１】
複数の基本ページとその基本ページを拡張するための少なくとも１つの拡張ページとを含んでいるテレテキテトのページを、基本ページを上記拡張ページにリンクさせるためのコードテーブルとともに伝送する方法において、コードテーブルの各コードは、基本ページをあらかじめ定められた拡張ページに選択的にリンクさせるための１ビットと、別の拡張ページを識別するとともに基本ページを別の拡張ページに選択的にリンクさせるための多ビット値とを含んでいることを特徴とするテレテキストのページを伝送する方法。
【請求項２】
請求項１記載の方法において、あらかじめ定められた拡張ページは、複数の基本ページに対して共通である拡張信号を含んでいることを特徴とするテレテキストのページを伝送する方法。
【請求項３】
複数の基本ページとその基本ページを拡張するための少なくとも１つの拡張ページとを含んでいるテレテキストのページを、基本ページを上記拡張ページにリンクさせるためのコードテーブルとともに送信するための送信局において、コードテーブルの各コードは、基本ページをあらかじめ定められた拡張ページに選択的にリンクさせるための１ビットと、別の拡張ページを識別するとともに基本ページを別の拡張ページに選択的にリンクさせるための多ビット値とを含んでいることを特徴とするテレテキストのページを送信する送信局。
【請求項４】
複数の基本ページの各々に対して、基本ページにリンクされた拡張ページを識別するためのコードを含んでいるテーブルをデコードするためのデコード手段；
少なくとも１つの基本ページとそこにリンクされた拡張ページとを取得するための取得手段；および
基本ページおよびそこにリンクされた拡張ページにおいて提供されている信号に従ってページを表示するための表示手段を含んでいるテレテキスト受信機において、
受信機は、コードの１ビットに応じてあらかじめ定められた拡張ページを取得するとともに、コードの多ビット値に応じて、コードの多ビット値によって識別される別の拡張ページを取得するよう前記取得手段を制御する制御手段を具えることを特徴とするテレテキスト受信機。
【発明の詳細な説明】
本発明は、複数の基本ページとその基本ページを拡張するための少なくとも１つの拡張ページとを含んでいるテレテキテトのページを、基本ページを上記拡張ページにリンクさせるためのコードテーブルとともに伝送する方法に関する。本発明はまた、送信局とテレテキスト受信機に関する。
大多数の商業的に利用できるテレテキストデコーダは、しばしばレベル１と呼ばれている標準の表示フォーマットにおけるページを表示するように適合されている。レベル１フォーマットは、例えば、９６個の英数字と６４個の図形文字だけを表示でき、唯１つの文字のタイプが用意され、飽和した色のみが使用可能である、等々の意味において制限されている。レベル１の表示フォーマットにおけるページは、以下において基本ページと呼ばれる。
一方、より高いレベルも用意されてきた。例えば、レベル２は文字セットの拡張や色のより拡張したパレットを用意している。一層高いレベルは、動的に再定義可能な文字セットおよびイタリックや太字の文字の表示等々のような設備をレベル２に加えたレベル３である。そのような高レベルのテレテキストデコーダのために、付加機能で基本ページを拡張するために拡張信号が伝送される。
ヨーロッパ放送連盟によって１９９２年１２月に発行された“Teletext Specification”, Interim Technical Document ＳＰＢ４９２の７６〜８３頁は、拡張ページに上記の拡張信号を提供する方法を述べている。基本ページの拡張ページへの望ましいリンキングは、コードテーブルとページリンキングリストが結合されている制御のページによって達成される。この既知の方法を説明するために、図１Ａは、マガシン１（３ディジットの数がディジット１でスタートする複数のテレテキストのページ）における基本ページのための制御のページを示している。本例においては、制御のページは（１６進の）ページナンバー１ＦＥを有している。制御のページはコードテーブル１００とページリンキングリスト１０１を含んでいる。コードテーブルの各位置はテレテキストのページナンバーに相当している。図１Ａにおいて、テーブルの第１行は基本ページの１００〜１１９に相当し、第２行は基本ページの１２０〜１３９に相当し、等々そして最後の行は基本ページの１８０〜１９９に相当している。各テーブルの位置は、とりわけ関連した基本ページを拡張ページにリンクさせるためのコードを提供している。各コードは、例えば４ビットを含み、そしてそれから０〜Ｆの範囲の値を有している。ここでは、コード０は関連したページが伝送されないことを意味している。図１Ａから、基本ページ１００〜１０３，１１０〜１１４，１２０〜１２４，１３０〜１３７，１４０〜１４２および１５０〜１５８は現在伝送中であるように思われる。コードの幾つかの値は、拡張ページが関連したページを拡張するための拡張信号を提供していることを示している。関連した拡張ページは、ページリンキングリスト１０１において合計される。関連した例においては、拡張ページ１Ｃ０〜１Ｃ９が伝送されている。
図１Ｂは拡張ページ１Ｃ０の例を示している。そのページは、ページナンバーを有するフィールド１０２と拡張データを有するフィールド１０３とを含んでいる。基本ページ１００は、例えば、異なった文字のタイプと色とで付加的なタイトルを表示するために、レベル１より高いレベルのテレテキストデコーダによってデータｘｘｘで拡張されなければならないことが、図１Ｂに示されるように試みられた。さらに、図は、ページ１１０が、例えば象形文字を表示する等のためにデータｙｙｙで拡張されなければならないことを示している。拡張ページのフィールド１０２におけるページナンバーは与えられたシーケンスにおいて記述される必要はない。
既知の方法の欠点は、与えられた基本ページのための拡張データが拡張ページの内容をスキャンすることによってサーチされなければならないことである。この目的のために、リストに述べられた全ての拡張ページは、あらかじめ受信され蓄積されている。
本発明の目的は、上述した欠点が除かれるテレテキストページを伝送する方法を提供することにある。
この目的のために、本発明による方法は、コードテーブルの各コードは、基本ページをあらかじめ定められた拡張ページに選択的にリンクさせるための１ビットと、別の拡張ページを識別するとともに基本ページを別の拡張ページに選択的にリンクさせるための多ビット値とを含んでいることを特徴としている。１つまたは２つの拡張ページが直接にアドレスされ、その結果、数ページのスキャンニングはもはや必要ないということがそれによって達成される。
あらかじめ定められた拡張ページは、好ましくは複数の基本ページに対して共通である拡張信号を含んでいる。実際問題として、この状況はしばしば生じる。例えば、あらかじめ定められた拡張ページは、非常に多くのページで使用されている１つまたはより多くの象形文字を定義するかも知れない。そのような象形文字を一度定義し、そしてそれを共通の拡張ページにおいて伝送することで、今や十分である。基本ページは、望まれるように、象形文字の表示のための共通の拡張ページに、そして他の拡張データのための個々の拡張ページに引き続いてリンクされる。
テレテキスト受信機は、テーブルをデコードするためのデコード手段、少なくとも１つの基本ページとそこにリンクされた拡張ページを取得するための取得手段、および基本ページおよびそこにリンクされた拡張ページにおいて提供されている信号に従ってページを表示するための表示手段を含んでいる。本発明に従って、受信機は、コードの１ビットに応じてあらかじめ定められた拡張ページを取得するとともに、コードの多ビット値に応じて、コードの多ビット値によって識別される別の拡張ページを取得するよう前記取得手段を制御する制御手段を具える。
図１は、すでに記述されたけれども、テレテキストページを伝送する既知の方法を説明するための、制御のページと拡張ページを示している。
図２は、本発明による方法を説明するための、テレテキスト伝送システムを線図で示している。
図３は、図２に示された放送局によって送信されるテレテキストページの１周期の一部を示している。
図４は、表示されるべきテレテキストページの一例を示している。
図５は、本発明による方法を説明するための、制御のページの一例を示している。
図６は、図２のテレテキストデコーダを大変詳細に示している。
図７は、図６に示されたマイクロプロセッサによって実行される制御プログラムのフローチャートを示している。
図２は、本発明による方法を説明するための、テレテキスト伝送システムを線図で示している。そのシステムは送信局１、伝送媒体２および受信機３を含んでいる。送信局は、テレビジョン信号発生器１１、テレテキスト信号発生器１２、テレテキストインサータ１３および変調器１４を含んでいる。テレビジョン発生器１１は映像信号ＴＶを発生し、テレテキスト発生器１２はテレテキスト信号ＴＸを発生する。両方の信号は、変調器１４に供給され、そして伝送媒体２を介して伝送されるビデオ信号にテレテキストインサータ１３において結合される。受信機３はビデオ信号を復調するためのチューナ３１を含んでいる。復調されたビデオ信号ＣＶＢＳは、別の処理と表示のためにテレビジョンモニタ３２に供給される。ビデオ信号はまたテレテキストデコーダ３３に供給される。このデコーダは、そこに提供されたテレテキスト信号をデコードし、そしてテレテキストの映像信号ＲＧＢをテレビジョンモニタ３２に供給する。
テレテキスト信号ＴＸは連続的に送信される複数のページを含んでいる。一般に、ページはマガジン中でグループにクラスタされている。各ページは、ヘッダ（とりわけ、ページナンバーを提供している）と最大２５のテキスト行を含んでいる。テレテキストページの伝送はこのページのヘッダでスタートし、それを意味していて、引き続いて関係するテキスト行を含んでいる。ページナンバーは３ディジットのナンバーであり、マガジンナンバーＭでスタートする。基本ページのページナンバーは、ユーザが１０進のキーボードによってページを選択することができるようにするために、一般に１００〜８９９の間にある。ページのレベル２および／またはレベル３の表示のために、このページのための拡張信号が１つまたはそれ以上の拡張ページにおいて提供されている。１００〜８９９の間の範囲外の値が、ディジットして１６進値Ａ〜Ｆを使用することによってこれら拡張ページのためのページナンバーとしてしばしば選択される。一般に、ページは繰返し周期で伝送される。説明のために、図３はそのような周期の一部を示している。周期は、例として、テレテキストページ１００〜１０３，１１０〜１１４，１２０〜１２４，１３０〜１３７，１４０〜１４２および１５０〜１５８、拡張ページ１ＥＦおよび１Ｃ１〜１Ｃ６、および制御のページ１ＦＥを含んでいる。周期の一部のみが図示されている。
本発明は、いま、例に関してさらに説明されるであろう。この目的のために、図４はレベル３フォーマットにおけるテレテキストページ４０を示している。そのページは、慣習的なレベル１のデコーダによっては表示されない部分４０１（例えば、象形文字）を有している。象形文字は、ページナンバー１ＥＦを有している拡張ページ４１に提供されるデータによって定義されている。同じ象形文字がまた、マガジン１中の多数の他のページにおいて使われるものと仮定されている。さらに、テレテキストページ４０は、レベル１のデコーダによってはまた表示されない部分４０２（例えば、異なった文字タイプにおけるワード）を有している。この部分は、別の拡張ページ４２、例えばページ１Ｃ１に定義されている。
図５は制御のページ１ＦＥの例を示している。マガジン１内において使用される拡張ページのページナンバーは、リスト５０において合計される。図に示されるように、リストは、本例においては６個の（１６進の）ページナンバー１Ｃ１〜１Ｃ６を含んでいる。さらに、制御のページは、共通の拡張ページのページナンバー５１（１ＥＦ）を有している。制御のページは、さらにコードを有するテーブル５２を含んでいる。各コードは行の２つの欄をカバーし、そして保護ビットによって保護されている。拡張ページをインデックスするために、この例においてはコードの４つのビットが使われていて、その結果、各コードは０〜Ｆの範囲の値を有するコードのＭＳＢビットは、値“１”（コード８〜Ｆ）によって関連する基本ページのための拡張信号が共通する拡張ページ１ＥＦに提供されることを識別する。図は、これが多くの基本ページ（１００，１１０〜１１２，１２０〜１２３，１３０〜１３６、---）に適用可能であることを示している。他の３ビットは、前述したようにリスト５０の拡張ページの１つをアドレスする。例えば、基本ページ１１３（コード１）は、拡張ページ１Ｃ１（リスト５０の最初のページ）からの拡張信号で拡張される。基本ページ１２３（コード９）は、共通の拡張ページ５１とリスト５０の最初の拡張ページの両方の拡張信号で拡張される。これは図４に示された例に従っている。コード０は、どの拡張ページも関連したページにリンクしていないことを示している。関連した基本ページは、そのとき伝送において存在しないか、または拡張することを必要としないレベル１のページであるかである。この例においては、基本ページ１０１および１０２は、少しもさらに拡張することなく伝送される。
図６は、図２において３３によって示されたテレテキストデコーダを大へん詳細に示している。デコーダは、ビデオ信号ＣＶＢＳからデータパケットを回復するためのデータスライサ６１、所望のページのデータパケットを選択するための取得回路６２、選択されたデータパケットを蓄積するためのメモリ６３およびページを表示するための文字発生器６４を含んでいる。デコーダはさらにマイクロプロセッサ６５を含んでいる。上記マイクロプロセッサは、通信バス６６を介してメモリ６３から読出しそして書き込むことができる。特に、マイクロプロセッサは受信したデータパケットを読み出し、処理し、そして処理動作の結果を文字発生器による表示のためのメモリに書き込む。
図６に示されるテレテキストデコーダの動作は、マイクロプロセッサに蓄えられている制御プログラムによって決定される。図７はこの制御プログラムのフローチャートを示している。テレテキストデコーダはレベル３フォーマットにおけるテレテキストパッケージを表示するように適合されていることが仮定されている。ステップ７０において、マイクロプロセッサは、マガジン１のためのコードテーブルを含んでいる制御のページの取得と同時に、所望のページ、例えばページ１２３の取得をスタートする。この制御のページはあらかじめ定められたページナンバー１ＦＥを有している。一般に、制御のページはあらかじめ受信され、そして蓄積されているであろう。もし、この場合でないならば、待ち時間が制御のページの受信のため観察されるであろう。ステップ７１においては、制御のページ中のコードＣが読まれ、それはページ１２３に相当する。このコードは、第２のテレテキスト行（図５参照）の７番目と８番目の欄にある。ページ１２３に対しては、コードは値９（２進の１００１）を有している。ステップ７２においては、読み出された４ビットのコードがＭＳＢビットＣmと３ビット値Ｃ1とに分離される。ステップ７３においては、引き続いてＣmが値１をもつかどうかが確かめられる。もし、そうであるならば、制御のプログラムは、ステップ７４において、制御のページの固定された位置において述べられているあらかじめ定められたページナンバー５１（図５参照）を読み出す。これは、共通の拡張ページのページナンバー（ここでは、１ＥＦ）である。さらに、もしこのページがあらかじめ受信され蓄積されていないならば、共通の拡張ページの取得はステップ７４においてスタートされる。もし、Ｃmが値０を有するならば、共通の拡張ページはどんな別な役割も果たさない。ステップ７５においては、Ｃ1の値が引き続きサーチされる。もし、Ｃ1が０に等しくない値を有するならば、そのときステップ７６が実行される。このステップにおいて、引き続くナンバーがＣ1の値に相当するリスト５０（図５参照）のページナンバーが読み出される。ページ１２３（Ｃ1＝１）に対しては、これが最初のページナンバー１Ｃ１である。さらに、こうして見つけられる拡張ページの取得がスタートされる。もし、Ｃ1が値０を有するならば、そのときは、リストのそのような拡張ページの取得は無しで済まされる。制御のプログラムは、表示されるべきページ１２３が基本ページ１２３、共通の拡張ページ１ＥＦおよび別の拡張ページ１Ｃ１からなっているステップ７７において終了される。
【図１Ａ】
0003836132.tif 000002
【図１Ｂ】
0003836132.tif 000003
【図２】
0003836132.tif 000004
【図３】
0003836132.tif 000005
【図４】
0003836132.tif 000006
【図５】
0003836132.tif 000007
【図６】
0003836132.tif 000008
【図７】
0003836132.tif 000009